(57)【要約】【課題】履物を充分に大きく開くことができ、履き易さと脱ぎ易さに優れるファスナー付きの履物を提供する。【解決手段】後部にファスナー３を設けた履物であって、縦方向の切込み部４ａを有し、切込み部４ａの内面側にファスナー３を取付けた市革４と、市革４の下端部内面側に取付けられ、ファスナー３の下端部に配置された平板状で正面略半円ドーム状の月形芯２と、市革４の左右一方端部側に取付けられた内甲腰革５と、市革４の左右他方端部側に取付けられた外甲腰革６とを備え、月形芯２に、ファスナー３のスライダー３ａが上から侵入する、上向きに開口した切欠凹部２ａを設ける。【選択図】図１
2008279210.tif 000002
【特許請求の範囲】
【請求項１】
後部にファスナーを設けた履物であって、
縦方向の切込み部を有し、前記切込み部の内面側に前記ファスナーを取付けた市革と、前記市革の下端部内面側に取付けられ、前記ファスナーの下端部に配置された平板状の月形芯と、前記市革の左右一方端部側に取付けられた内甲腰革と、前記市革の左右他方端部側に取付けられた外甲腰革とを備え、
前記月形芯に、前記ファスナーのスライダーが上から侵入する、上向きに開口した切欠凹部を設けたことを特徴とするファスナー付き履物。
【請求項２】
側部または前部にファスナーを設けた履物であって、
縦方向の切込み部を有し、前記切込み部の内面側に前記ファスナーを取付けた市革と、前記市革の下端部内面側に取付けられ、前記ファスナーの下端部に配置された平板状の月形芯と、前記市革の左右一方端部側に取付けられた内甲腰革と、前記市革の左右他方端部側に取付けられた外甲腰革とを備え、
前記月形芯に、前記ファスナーのスライダーが上から侵入する、上向きに開口した切欠凹部を設けたことを特徴とするファスナー付き履物。
【請求項３】
前記月形芯は、正面略半円ドーム状であり、前記切欠凹部は、前記月型芯の中央上部に設けられてなることを特徴とする請求項１又は２に記載のファスナー付き履物。
【請求項４】
前記市革と月形芯との間に、前記切欠凹部を覆わない形状の緩衝材を設けたことを特徴とする請求項１乃至３のうちいずれか一つに記載のファスナー付き履物。
【請求項５】
前記緩衝材は、前記月型芯を挟んで左右に二分割されてなることを特徴とする請求項４に記載のファスナー付き履物。
【発明の詳細な説明】
【技術分野】
【０００１】
本発明はファスナーを設けたファスナー付き履物に関するものである。
【背景技術】
【０００２】
例えば、図４および図５に示すように、革製ブーツなどの底の深い履物２０には、履き易さと脱ぎ易さを確保するために、後部などにファスナー３が取付けられている。
通常、このファスナー３は、図６に示すように、縦方向の切込み部４ａを有する市革４の内面側に取付けられる。また、ファスナー３の下端部内面側には、図６および図７に示すように、ファスナー３の下端部を覆う状態で月形芯２１が配置されている。さらに、市革４の左右両端部側には、内甲腰革５と、外甲腰革６が取付けられている。
【０００３】
月形芯２１は、履物２０の踵部の形状を保持するために設けられ、通常、平板状で、正面略半円ドーム状（略半月状）に形成されている（例えば、特許文献１参照）。
そして、踵部の形状を保持する必要があることから、ある程度の剛性を有している。
【特許文献１】特開平１０−５７１０８号公報
【発明の開示】
【発明が解決しようとする課題】
【０００４】
こうした構成の従来のファスナー付き履物２０には、解決すべき問題がある。
すなわち、ファスナー３の下端部内面側に、ファスナー３の下端部を覆う状態で月形芯２１が配置されているので、ファスナー３のスライダー３ａを引き下げると、図６および図７に示すように、月形芯２１の上端２１ａに突き当たり、これによって、このファスナー３は月形芯２１の上端位置より下位まで引き下げることができない。そのため、履物２０を充分に大きく開くことができず、履き易さと脱ぎ易さに欠けてしまう。
【０００５】
また、特許文献１に記載の月形芯は、靴を射出成形によって容易に製造するために、切欠き部を月形芯の下端に複数形成したものであり、ファスナーとの関係についての技術は開示していない。
【０００６】
そこで、本発明の目的とするところは、履物を充分に大きく開くことができ、履き易さと脱ぎ易さに優れるファスナー付き履物を提供することにある。
【課題を解決するための手段】
【０００７】
上記の目的を達成するために、本発明の請求項１に記載のファスナー付き履物（１）は、後部にファスナー（３）を設けた履物であって、
縦方向の切込み部（４ａ）を有し、前記切込み部（４ａ）の内面側に前記ファスナー（３）を取付けた市革（４）と、前記市革（４）の下端部内面側に取付けられ、前記ファスナー（３）の下端部に配置された平板状の月形芯（２）と、前記市革（４）の左右一方端部側に取付けられた内甲腰革（５）と、前記市革（４）の左右他方端部側に取付けられた外甲腰革（６）とを備え、
前記月形芯（２）に、前記ファスナー（３）のスライダー（３ａ）が上から侵入する、上向きに開口した切欠凹部（２ａ）を設けたことを特徴とする。
【０００８】
また、請求項２に記載のファスナー付き履物（１）は、側部または前部にファスナー（３）を設けた履物であって、
縦方向の切込み部（４ａ）を有し、前記切込み部（４ａ）の内面側に前記ファスナー（３）を取付けた市革（４）と、前記市革（４）の下端部内面側に取付けられ、前記ファスナー（３）の下端部に配置された平板状の月形芯（２）と、前記市革（４）の左右一方端部側に取付けられた内甲腰革（５）と、前記市革（４）の左右他方端部側に取付けられた外甲腰革（６）とを備え、
前記月形芯（２）に、前記ファスナー（３）のスライダー（３ａ）が上から侵入する、上向きに開口した切欠凹部（２ａ）を設けたことを特徴とする。
【０００９】
さらに、請求項３に記載のファスナー付き履物（１）は、前記月形芯（２）は、正面略半円ドーム状であり、前記切欠凹部（２ａ）は、前記月型芯（２）の中央上部に設けられてなることを特徴とする
【００１０】
さらにまた、請求項４に記載のファスナー付き履物（１）は、前記市革（４）と月形芯（２）との間に、前記切欠凹部（２ａ）を覆わない形状の緩衝材（７）を設けたことを特徴とする。
【００１１】
また、請求項５に記載のファスナー付き履物（１）は、前記緩衝材（７）は、前記月形芯（２）を挟んで左右に二分割されてなることを特徴とする。
【００１２】
なお、カッコ内の記号は、図面および後述する発明を実施するための最良の形態に記載された対応要素または対応事項を示す。
【発明の効果】
【００１３】
本発明の請求項１に記載のファスナー付き履物によれば、後部にファスナーを設けた履物において、月形芯に、ファスナーのスライダーが上から侵入する切欠凹部を設けたので、このスライダーを月形芯の上端位置より下位、詳細には切欠凹部の下端まで引き下ろすことができる。
従って、履物を充分に大きく開くことができ、優れた履き易さと脱ぎ易さを確保することができる。
【００１４】
また、請求項２に記載のファスナー付き履物によれば、側部または前部にファスナーを設けた履物において、同様に、月形芯に、ファスナーのスライダーが上から侵入する切欠凹部を設けたので、このスライダーを月形芯の上端位置より下位まで引き下ろすことができ、履物を充分に開いて、優れた履き易さと脱ぎ易さを得ることができる。
【００１５】
さらに、請求項３に記載のファスナー付き履物によれば、請求項１または２に記載の発明の作用効果に加えて、月形芯の形状を正面略半円ドーム状とし切欠凹部を月型芯の中央上部に設けたので、左右のバランスがよく、ファスナーのスライダーを効率的に下位まで引き下ろすことができる。
【００１６】
さらにまた、請求項４に記載のファスナー付き履物によれば、請求項１乃至３に記載の発明の作用効果に加えて、市革と月形芯との間に緩衝材を設けたので、足に対するフィット感を高め、履き心地を向上させることができる。
また、この緩衝材は、月形芯の切欠凹部を覆わない形状なので、ファスナーのスライダーに干渉せず、従って、スライダーの引き下ろしを邪魔しない。
【００１７】
また、請求項５に記載のファスナー付き履物によれば、請求項４に記載の発明の作用効果に加えて、前記緩衝材を左右に二分割したので、月形芯の左右部分に配置して、確実に切欠凹部を覆うことがないようにすることができる。これにより、スライダーとの干渉をさらに確実に避けることができる。
【００１８】
また、二分割することによって、その形状を簡素化することができ、製造の簡略化と、製造コストの削減化を図ることができる。
【発明を実施するための最良の形態】
【００１９】
図１乃至図５を参照して、本発明の実施形態に係るファスナー付き履物１について説明する。図１は、本発明の実施形態に係るファスナー付き履物１におけるファスナーのスライダーと月形芯との位置関係を示す背面図であり、図２は、その要部拡大図である（市革は省略）。図３は、本発明の実施形態に係るファスナー付き履物１における主要部材の分解斜視図である（背面から視覚した図）。また、図４は、本実施形態に係るファスナー付き履物１を示す左側面図であり、図５は、その背面図である。従来技術と同一部分には同一符号を付した。
【００２０】
本実施形態に係るファスナー付き履物１は、後部にファスナー３を設けた底の深い履物（ブーツ）であり、市革４、月形芯２、内甲腰革５、外甲腰革６、つま革８および靴底９を備える。
市革４は、革製で、中央部分に縦方向の切込み部４ａを有し、その切込み部４ａの内面側にファスナー３を取付けている。
月形芯２は、市革４の下端部内面側に取付けられ、ファスナー３の下端部に配置された平板状で、正面略半円ドーム状で左右対象型である。この月形芯２は、踵部の形状を保持する働きを担うものであることから、ある程度の剛性を有する。本実施形態では、月形芯２を硬質の再生革で形成している。
【００２１】
内甲腰革５は、市革４の左右一方端部側（後面右側）に取付けられ、また、外甲腰革６は、市革４の他方端部側（後面左側）に取付けられ、履物１の側部を構成する。
つま革８は、内甲腰革５と外甲腰革６の前側に配置され、履物１の前部を構成する。
内甲腰革５、外甲腰革６、および、つま革８は、いずれも革製である。また、靴底９はゴム製で、履物１の底部を構成する。
なお、市革４と内甲腰革５の左側端部との間に、ファスナー３の内面側に位置し、ファスナー３が足に接触するのを防止するためのファスナー当て１０を設けている。また、市革４の外面側にはファスナーカバー１１を設けている。
【００２２】
そして、月形芯２の中央部分に縦方向に、ファスナー３のスライダー３ａが上から侵入するように、上向きに開口した切欠凹部２ａを設けている。また、本実施形態では、市革４と月形芯２との間に、切欠凹部２ａを覆わないように左右に二分割した緩衝材７を設けている。
【００２３】
こうした構成の本実施形態に係るファスナー付き履物１は、月形芯２の中央部分に縦方向に、ファスナー３のスライダー３ａが上から侵入する切欠凹部２ａを設けているので、図１および図２に示すように、このスライダー３ａを、月形芯２の上端位置より下位、すなわち切欠凹部２ａの下端（ファスナー３の最下端）まで引き下ろすことができる。
従って、履物１を充分に大きく開くことができ、容易に履くことができ、また、容易に脱ぐことができる製品とすることができる。
【００２４】
また、市革４と月形芯２との間に緩衝材７を設けているので、足に対するフィット感を高め、履き心地を向上させることができる。なお、この緩衝材７は、左右に二分割しているので、切欠凹部２ａを挟んで、月形芯２の左右部分に配置して、確実に切欠凹部２ａを覆うことがないようにすることを可能としている。
これにより、ファスナー３のスライダー３ａとの干渉をさらに確実に防止することができるので、スライダー３ａを確実に月形芯２の上端位置より下位まで引き下げることができる。
【００２５】
また、緩衝材７を二分割しているので、各単体の形状を簡素化することができ、これにより製造を容易とし、製造コストを削減することができる。
【００２６】
なお、上記実施形態に係るファスナー付き履物１は、ファスナー３を後部に設けた構成であるが、これに代えて、側部（左右側）や前部に設けた構成、あるいは、それらの組合わせにも適用することができる。また、底の深いブーツのみでなく、底の浅い通常の履物にも適用することができる。さらに、革製の履物のみでなく、布製や樹脂製等の履物にも適用できる。
【図面の簡単な説明】
【００２７】
【図１】本発明の実施形態に係るファスナー付き履物におけるファスナーのスライダーと月形芯との位置関係を示す背面図である。
【図２】図２の要部拡大図である。
【図３】本発明の実施形態に係るファスナー付き履物における主要部材の分解斜視図である。
【図４】ファスナー付き履物を示す側面図である。
【図５】ファスナー付き履物を示す背面図である。
【図６】従来に係るファスナー付き履物におけるファスナーのスライダーと月形芯との位置関係を示す背面図である。
【図７】図６の要部拡大図である。
【符号の説明】
【００２８】
１        ファスナー付き履物
２        月形芯
２ａ      切欠凹部
３        ファスナー
３ａ      スライダー
４        市革
４ａ      切込み部
５        内甲腰革
６        外甲腰革
７        緩衝材
８        つま革
９        靴底
１０        ファスナー当て
１１        ファスナーカバー
２０        ファスナー付き履物
２１        月形芯
２１ａ      上端
【図１】
2008279210.tif 000003
【図２】
2008279210.tif 000004
【図３】
2008279210.tif 000005
【図４】
2008279210.tif 000006
【図５】
2008279210.tif 000007
【図６】
2008279210.tif 000008
【図７】
2008279210.tif 000009